(57)【要約】【課題】テレビジョン受像機などの電気・電子機器の筐体に接続されるケーブルをプラグコネクタ及びプラグコネクタ用固定部材でまとめて抜き差しする場合は、プラグコネクタ及びプラグコネクタ用固定部材を新たに設計しなければならず、部品点数が増加すること。【解決手段】複数の接続ケーブル１０６〜１０９を接続することが可能な端子板１０１と接続対象となる基板２０２に、端子板側コネクタ１１０及び基板側コネクタ２０１を備え、それらを直接接続及び固定することによって、複数の接続ケーブル１０６〜１０９を同時に取り外すことが可能になると共に、部品点数の増加を抑えることができる。【選択図】図１
2007042306.tif 000002
【特許請求の範囲】
【請求項１】
複数のケーブルを一度に接続可能である端子板と、基板に取り付けられ前記端子板と嵌合し電気的に接続する構造を有するコネクタからなる端子板の嵌合構造であって、前記端子板は前記端子板に接続されたケーブルと電気的に接続する接続板を備え、前記コネクタはばね性を持ち前記接続板と電気的に接続する一対の突起状の接続板押さえバネを備え、前記接続板押さえバネに前記接続板を嵌め込むことにより前記端子板を固定することを特徴とする端子板の嵌合構造。
【請求項２】
複数のケーブルを一度に接続可能である端子板と、基板に取り付けられ前記端子板と嵌合し電気的に接続する構造を有するコネクタからなる端子板の嵌合構造であって、前記端子板は前記端子板に接続されたケーブルと電気的に接続する板バネと、第１の突起部とを備え、前記コネクタは前記板バネと電気的に接続する信号伝達面とスリット部とを備え、前記第１の突起部が前記スリット部に嵌合することにより前記端子板を固定することを特徴とする端子板の嵌合構造。
【請求項３】
複数のケーブルを一度に接続可能である端子板と、基板に取り付けられ前記端子板と嵌合し電気的に接続する構造を有するコネクタからなる端子板の嵌合構造であって、前記端子板は前記端子板に接続されたケーブルと電気的に接続するピンと第１の爪部とを備え、前記コネクタは前記ピンと電気的に接続するピン挿入穴と、第２の爪部を備え、前記第１の爪部と前記第２の爪部が互いに嵌め合うことで前記端子板を固定することを特徴とする端子板の嵌合構造。
【請求項４】
前記端子板は第２の突起部を備え、筐体は一方向に可動しリブを有する把手を備えており、前記把手が動くと前記リブが前記第２の突起部を押し出すことにより、前記端子板が前記コネクタから外れることを特徴とする請求項１乃至請求項３に記載の端子板の嵌合構造。
【発明の詳細な説明】
【技術分野】
【０００１】
本発明はテレビジョン受像機などの電気・電子機器などに利用される端子板の嵌合構造に関するものである。
【背景技術】
【０００２】
テレビジョン受像機などの電気・電子機器には、多くの外部機器を接続させて使用することが可能である。しかし、外部接続機器が増加することより、テレビジョン受像機などの電気・電子機器と、それに接続する外部接続機器との接続ケーブル数が増加した。これにより、機器を移動させる際には、それらの接続ケーブルを全て抜く必要があるが、接続ケーブルを一つずつ抜くことが大変手間であった。
【０００３】
これらの課題を解決するために、接続ケーブルを同時に抜く手法として、プラグコネクタ及びプラグコネクタ用固定部材が提案されている（例えば、特許文献１参照）。図１３は、前記特許文献１に記載された従来のプラグコネクタ及びプラグコネクタ用固定部材を示すものである。
【０００４】
図１３において、このプラグコネクタ１０は、所定間隔に並べて配置された接続対象の複数のジャック端子に接続可能であり、各ジャック端子から取り外し可能であり、複数のジャック端子に接続される複数のプラグ端子１１〜１３と、複数のプラグ端子をその外面で所定間隔に対応した間隔で固定する固定部材１９を備え、固定部材１９は、各プラグ端子と各ジャック端子との接続を解除し、取り外すときに、その解除を補助する解除補助機構３０を備える。解除補助機構３０によりプラグコネクタを複数のジャック端子から容易に引き抜くことができる。
【特許文献１】特開２００４−２８１３３８号公報
【発明の開示】
【発明が解決しようとする課題】
【０００５】
しかしながら従来のプラグコネクタ及びプラグコネクタ用固定部材は、プラグコネクタ上の端子の配列・ピッチや端子の種類・大きさが異なる場合、それぞれに応じたプラグコネクタ用固定部材を取り付ける必要があり、プラグコネクタの形状に合うように、プラグコネクタ用固定部材を設計し、作製しなければならないので、大変手間やコストがかかるという課題を有していた。またこのプラグコネクタを有する電子機器に標準仕様としてこのプラグコネクタ用固定部材を備えると、部品点数が増加するという課題を有していた。
【０００６】
本発明は前記従来の課題を解決するもので、端子板と基板を直接着脱させる構成によって複数の接続ケーブルを同時に機器から着脱可能とするために、新たに部品を増加させることの無い端子板の嵌合構造を提供することを目的とする。
【課題を解決するための手段】
【０００７】
前記従来の課題を解決するために、本発明の端子板の嵌合構造は、複数の接続ケーブルを一度に接続する端子板と前記端子板を基板に直接着脱するコネクタを備えており、端子板とコネクタが電気的に接続され、且つそのコネクタの保持力で端子板と基板が固定される。
【０００８】
本構成によって、複数の接続ケーブルが接続されたまま、端子板自体をプリント基板から着脱することが可能となる。
【０００９】
また、本発明の端子板の嵌合構造は、可動式の把手を有するテレビジョン受像機などの電気・電子機器の筐体に使用する場合、端子板に突起を有し、把手を動かすと把手に備え付けられた押し出し用リブが端子板の突起を押し出す。
【００１０】
本構成によって、機器を移動する際に把手を使用すると、把手の押し出し用リブが端子板の突起を押し出すことにより、把手の動きと連動して端子板を外すことができる。
【発明の効果】
【００１１】
本発明の端子板の嵌合構造によれば、端子板自体が接続対象となる基板から直接着脱が可能であり、プラグコネクタ用固定部材を必要としないため、部品点数を増加させること無く、複数の接続ケーブルを同時に機器から着脱することが可能となる。
【発明を実施するための最良の形態】
【００１２】
以下、本発明を実施するための最良の形態について、図面を参照しながら説明する。
【００１３】
（実施の形態１）
図１は本発明の実施の形態１における端子板の（ａ）正面図、（ｂ）側面図及び（ｃ）平面図である。また、図２は実施の形態１における基板側コネクタの（ａ）正面図、（ｂ）側面断面図及び（ｃ）平面断面図である。
【００１４】
図１において、端子板１０１は複数のジャック端子１０２〜１０５を有し、複数の接続ケーブル１０６〜１０９を接続することが可能である。また端子板１０１は、接続対象となる基板と電気的接続が可能な接続板１１１〜１１３を備えた端子板側コネクタ１１０を有する。
【００１５】
図２において、基板側コネクタ２０１は接続対象となる基板２０２に取り付けられており、内部にはバネ性を持ち電気的に接続が可能である一対の突起状の接続板押さえバネ２０３〜２０５を備える。
【００１６】
また、図３は実施の形態１における基板側コネクタの接続板押さえバネの動作図であり、（ａ）平常時（ｂ）端子板側コネクタ接続時を示す。
【００１７】
図３においては、図１及び図２と同じ構成要素については同じ符号を用い、説明を省略する。
【００１８】
基板側コネクタ２０１に備えた接続板押さえバネ２０３〜２０５は、バネ性を有する突起状の導電体である。端子板１０１を基板２０２に接続していない場合は閉じた状態である。端子板側コネクタ１１０が基板側コネクタ２０１に接続している場合は、バネ性を有する接続板押さえバネ２０３〜２０５が変形して、接続板１１１〜１１３を嵌め込むことにより端子板１０１を固定する。また端子板側コネクタ１１０を基板側コネクタ２０１から取り外すと、接続板１１１〜１１３が接続板押さえバネ２０３〜２０５から引き抜かれるため、接続板押さえバネ２０３〜２０５は平常時の閉じた状態へと戻る。
【００１９】
この構成によれば、接続板１１１〜１１３を接続板押さえバネ２０３〜２０５に挿入すると、接続板１１１〜１１３により接続板押さえバネ２０３〜２０５が押し開かれるので接続板１１１〜１１３を挿入することができる。接続板１１１〜１１３が挿入されると接続板押さえバネ２０３〜２０５がバネ性により接続板１１１〜１１３を挟み込んで固定する。この時、接続板１１１〜１１３と接続板押さえバネ２０３〜２０５は接触点３０１〜３０３で電気的に接続している。また接続板１１１〜１１３を接続板押さえバネ２０３〜２０５から引き抜く場合は、接続板１１１〜１１３には抜き差し方向に力は働いていないので容易に取り外すことができる。
【００２０】
実施の形態１による端子板によれば、テレビジョン受像機等の電気・電子機器から端子板の取り外しが可能のため、複数の接続ケーブルを接続した場合でも、端子板を取り外すことにより全ての接続ケーブルを同時に機器から取り外すことが可能となる。これにより部品点数を増加させること無く、機器から複数の接続ケーブルを取り外す手間が解消される。
【００２１】
なお、本実施の形態では接続板を３本としジャック端子を４本としたが、それに限るものではなく、本発明の端子板の嵌合構造を利用する電気・電子機器に必要な接続版数やジャック端子数に応じて、自由に変えることも可能である。
【００２２】
また、本実施の形態では接続板を水平板としたが、それ以外でもよく、例えば垂直や斜め、円形状、水平・垂直・斜め・円形状の板または円状や角状のピン形状として、いずれかまたは幾つかの混合とすることも可能である。
【００２３】
（実施の形態２）
図４は本発明の実施の形態２における端子板の（ａ）正面図、（ｂ）側面図、（ｃ）平面図及び（ｄ）側面断面図である。また、図５は実施の形態２における基板側コネクタの（ａ）正面図、（ｂ）側面断面図及び（ｃ）平面断面図である。
【００２４】
図４において、端子板４０１は複数のジャック端子４０２〜４０５を有し、複数の接続ケーブル４０６〜４０９を接続することが可能である。また端子板４０１には、電気的に接続が可能な板バネ４１１と半円状の第１の突起部４１２及び４１３を有する端子板側コネクタ４１０を備える。
【００２５】
図５において、基板側コネクタ５０１は接続対象となる基板５０２に取り付けられており、外周にスリット５０３及び５０４を備えている。また基板側コネクタ５０１の内壁５０５及び５０６に囲まれた電気的接続が可能な信号伝達面５０７を備えており、内壁５０５及び５０６には半円状の凹部５０８及び５０９を有する。
【００２６】
また、図６は実施の形態２における基板側コネクタの動作図であり、（ａ）平常時、（ｂ）端子板側コネクタ挿入途中、（ｃ）端子板側コネクタが完全に挿入された時を示す。
【００２７】
図６においては、図４及び図５と同じ構成要素については同じ符号を用い、説明を省略する。
【００２８】
基板側コネクタ５０１に備えたスリット５０３及び５０４は、平常時即ち基板側コネクタ５０１の内壁５０５及び５０６に負荷加わっていない状態では図５（ｂ）に示す形状となっている。端子板側コネクタ４１０を基板側コネクタ５０１に挿入する場合は、端子板側コネクタ４１０の備えた第１の突起部４１２及び４１３が、基板側コネクタ５０１の内壁５０５及び５０６に当たる。すると、内壁５０５及び５０６が外側に開く方向の力が加わり、スリット５０３及び５０４が撓むことによって、図６（ｂ）に示すように端子板側コネクタ４１０が基板側コネクタ５０１に挿入可能な状態となる。そして端子板側コネクタ４１０を挿入し基板側コネクタ５０１の完全に挿入されると、図６（ｃ）に示すように端子板側コネクタ４１０の備えた第１の突起部４１２及び４１３が、基板側コネクタ５０１の凹部５０８及び５０９に嵌合される。すると第１の突起部４１２及び４１３により内壁５０５及び５０６に加えられていた外側に向けて働く力が無くなるため、スリット５０３及び５０４の撓みは解除され、基板側コネクタ５０１の内壁５０５及び５０６も平常時と同じ状態に戻る。その結果、第１の突起部４１２及び４１３が凹部５０８及び５０９により固定されるので端子板４０１を基板５０２に固定することができる。
【００２９】
次に端子板側コネクタ４１０を基板側コネクタ５０１から取り外す場合は、端子板４０１を挿入方向と逆方向に力を加えると、端子板側コネクタ４１０の備えた第１の突起部４１２及び４１３が、基板側コネクタ５０１の内壁５０５及び５０６に当たり、スリット５０３及び５０４が撓むことにより、内壁５０５及び５０６が外側に開き、端子板側コネクタ４１０が基板側コネクタ５０１から取り外すことができる。
【００３０】
この構成によれば、端子板側コネクタ４１０が基板側コネクタ５０１に完全に挿入された際、端子板側コネクタ４１０に備えた板バネ４１１が伸縮し、基板側コネクタ５０１に備えた信号伝達面５０７に接触し、接触点６０１で電気的に接続する。また端子板側コネクタ４１０の備えた第１の突起部４１２及び４１３が、基板側コネクタ５０１の凹部５０８及び５０９に嵌合されることにより、端子板側コネクタ５０１を一定の力で保持することができる。これにより端子板４０１を固定することが可能であり、さらに端子板４０１を容易に取り外すことも可能である。
【００３１】
実施の形態２による端子板によれば、テレビジョン受像機等の電気・電子機器から端子板の取り外しが可能のため、複数の接続ケーブルを接続した場合でも、端子板を取り外すことにより全ての接続ケーブルを同時に機器から取り外すことが可能となる。これにより部品点数を増加させること無く、機器から複数の接続ケーブルを取り外す手間が解消される。
【００３２】
なお、本実施の形態ではジャック端子を４本としたが、それに限るものではなく、本発明の端子板の嵌合構造を利用する電気・電子機器に必要なジャック端子数に応じて、自由に変えることも可能である。
【００３３】
また、本実施の形態では端子板側コネクタの第１の突起部及び基板側コネクタの凹部を半円状としたが、例えば三角状や台形状とすることも可能である。
【００３４】
さらに、本実施の形態では基板側コネクタにスリットを設け、端子板側コネクタが挿入される際は基板側コネクタが変形する構造としたが、基板側コネクタにスリットを廃止し、端子板側コネクタの第１の突起部をバネ形状にして、そのバネ性を持った第１の突起部を変形させて挿入する構造としてもよい。この詳細の説明を図７に示す。
【００３５】
図７は実施の形態２における他の方法での端子板側コネクタの動作図であり、（ａ）平常時、（ｂ）基板側コネクタに挿入途中、（ｃ）基板側コネクタに完全に挿入された時を示す。
【００３６】
図７において、図４乃至図６と同じ構成要素については同じ符号を用い、説明を省略する。
【００３７】
端子板４０１に備えた端子板側コネクタ４１０には、バネ性を持ったバネ突起７０１及び７０２を備え、これ以外の構造は図４と同様の構造とする。
【００３８】
端子板側コネクタ４１０のバネ突起７０１及び７０２は、平常時では図７（ａ）に示す形状となっている、端子板側コネクタ４１０を基板側コネクタ５０１に挿入する際、バネ突起７０１及び７０２が基板側コネクタ５０１の内壁５０５及び５０６に当たると、図７（ｂ）に示すようにバネ突起７０１及び７０２が撓み、端子板側コネクタ４１０が基板側コネクタ５０１に挿入可能となる。そして端子板側コネクタ４１０が基板側コネクタ５０１の完全に挿入されると、図７（ｃ）に示すようにバネ突起７０１及び７０２の撓みは解除され、基板側コネクタ５０１の凹部５０８及び５０９に嵌合される。また端子板側コネクタ４１０を基板側コネクタ５０１から取り外す際も、挿入方向と逆方向にバネ突起７０１及び７０２が基板側コネクタ５０１の内壁５０５及び５０６に当たると、バネ突起７０１及び７０２が撓み、端子板側コネクタ４１０が基板側コネクタ５０１から取り外し可能となる。
【００３９】
（実施の形態３）
図８は本発明の実施の形態３における端子板の（ａ）正面図、（ｂ）側面図、（ｃ）平面図及び（ｄ）側面断面図である。また、図９は実施の形態３における基板側コネクタの（ａ）正面図、（ｂ）側面図及び（ｃ）側面断面図である。
【００４０】
図８において、端子板８０１は複数のジャック端子８０２〜８０５を有し、複数の接続ケーブル８０６〜８０９を接続することが可能である。また端子板８０１には、第１の爪部８１１及び８１２と接続部８１５を備えた端子板側コネクタ８１０を有する。さらに第１の爪部８１１及び８１２には半円状の凹部８１３及び８１４を備えており、接続部８１５には電気的に接続可能なピン８１６を１本又は複数備えている。
【００４１】
図９において、基板側コネクタ９０１は接続対象となる基板９０２に取り付けられており、第２の爪部９０３及び９０４と接続部９０７を備えている。さらに第２の爪部９０３及び９０４には半円状の凹部９０５及び９０６を備えており、接続部９０７にはピン８１６と電気的に接続が可能なピン挿入穴９０８を１箇所又は複数箇所備えている。
【００４２】
また、図１０は実施の形態３における基板側コネクタの動作図であり、（ａ）平常時の爪部、（ｂ）端子板側コネクタ挿入途中の爪部、（ｃ）端子板側コネクタが完全に挿入された時の爪部、（ｄ）平常時の接続部、（ｅ）端子板側コネクタ挿入途中の接続部、（ｆ）端子板側コネクタが完全に挿入された時の接続部を示す。
【００４３】
図１０においては、図８及び図９と同じ構成要素については同じ符号を用い、説明を省略する。
【００４４】
端子板側コネクタ８１０に備えた第１の爪部８１１及び８１２と基板側コネクタ９０１に備えた第２の爪部９０３及び９０４は、平常時は図１０（ａ）に示す形状となっている。端子板側コネクタ８１０を基板側コネクタ９０１に挿入する場合、端子板側コネクタ８１０の第１の爪部８１１及び８１２の先端が、基板側コネクタ９０１の第２の爪部９０３及び９０４に当たると、図１０（ｂ）に示すように双方の爪部８１１、８１２、９０３及び９０４に開く方向の力が働き、双方の半円状の凹部８１３、８１４、９０５及び９０６が撓む。すると、端子板側コネクタ８１０が基板側コネクタ９０１に挿入可能となる。この時、端子板側コネクタ８１０の接続部８１５と基板側コネクタ９０１の接続部９０７は、爪形状ではないため図１０（ｆ）に示すように双方が当たることなく嵌合される。
【００４５】
次に端子板側コネクタ８１０を基板側コネクタ９０１から取り外す場合は、挿入方向と逆方向に力を加えると、端子板側コネクタ８１０に備えた第１の爪部８１１及び８１２と基板側コネクタ９０１に備えた第２の爪部９０３及び９０４は、端子板側コネクタ８１０の第１の爪部８１１及び８１２の先端が基板側コネクタ９０１の第２の爪部９０３及び９０４に当たり双方の爪部８１１、８１２、９０３及び９０４に開く方向の力が働くと、双方の半円状の凹部８１３、８１４、９０５及び９０６が撓むことによって、端子板側コネクタ８１０が基板側コネクタ９０１から取り外すことができる。
【００４６】
この構成によれば、端子板側コネクタ８１０が基板側コネクタ９０１に完全に挿入された際、端子板側コネクタ８１０の備えたピン８１６が、基板側コネクタ９０１に備えたピン挿入穴９０８に挿入されることにより、接触点１００１で電気的に接続する。また端子板側コネクタ８１０の備えた第１の爪部８１１及び８１２が、基板側コネクタ９０１の第２の爪部９０３及び９０４に嵌合されることにより、端子板側コネクタ９０１を一定の力で保持することができる。これにより端子板８０１を固定することが可能であり、さらに端子板８０１を容易に取り外すことも可能である。
【００４７】
実施の形態３による端子板によれば、テレビジョン受像機等の電気・電子機器から端子板の取り外しが可能のため、複数の接続ケーブルを接続した場合でも、端子板を取り外すことにより全ての接続ケーブルを同時に機器から取り外すことが可能となる。これにより部品点数を増加させること無く、機器から複数の接続ケーブルを取り外す手間が解消される。
【００４８】
なお、本実施の形態ではジャック端子を４本としたが、それに限るものではなく、本発明の端子板の嵌合構造を利用する電気・電子機器に必要なジャック端子数に応じて、自由に変えることも可能である。
【００４９】
（実施の形態４）
図１１は本発明の実施の形態４における端子板側コネクタの（ａ）正面図、（ｂ）側面図及び（ｃ）平面図である。図１１においては、図１及び図２と同じ構成要素については同じ符号を用い、説明を省略する。図１１において、端子板１０１は、第２の突起部１１０１を備えており、これ以外の構造は実施の形態１と同様の構造とする。
【００５０】
また、図１２は実施の形態４における把手と端子板の動作図であり、（ａ）端子板が完全に挿入されている際の全体図、（ｂ）端子板が完全に挿入されている際の把手部断面図、（ｃ）端子板が完全に挿入されている際のコネクタ部断面図、（ｄ）把手を引き出した際の全体図、（ｅ）把手を引き出した際の把手部断面図、（ｆ）把手を引き出した際のコネクタ部断面図を示す。
【００５１】
テレビジョン受像機等の電気・電子機器の筐体１２０１に有した可動式の把手１２０２には押し出し用リブ１２０３を備える。端子板１０１が筐体１２０１に完全に挿入されている際、その押し出し用リブ１２０３は図１２（ｂ）に示すように端子板の第２の突起部１１０１の下に入り込んでいる。その際基板２０２には切り欠き１２０４を設け、端子板１０１の第２の突起部１１０１を逃げる構造とする。
【００５２】
この構成によれば、筐体１２０１を移動させる際など、把手１２０２を引き出すと図１２（ｅ）に示すように把手１２０２の押し出し用リブ１２０３が端子板１０１の第２の突起部１１０１に当たり、端子板１０１を押し出す力が加わる。これにより、端子板側コネクタ１１０に備えた接続板１１１〜１１３が、基板側コネクタ２０１に備えた接続板押さえバネ２０３〜２０５から抜け、端子板１０１が筐体１２０１から取り外される。
【００５３】
実施の形態４による端子板及び把手によれば、テレビジョン受像機等の電気・電子機器の筐体を移動する際などに把手を引き出すと、把手の動きと連動して端子板の取り外しが可能なため、複数の接続ケーブルを接続した場合でも、端子板を取り外すことにより全ての接続ケーブルを同時に筐体から取り外すことが可能となる。これにより部品点数を増加させること無く、筐体から複数の接続ケーブルを取り外す手間が解消される。
【産業上の利用可能性】
【００５４】
本発明にかかる端子板の嵌合構造は、部品点数を増加させることなく、機器から複数の接続ケーブルを取り外す手間が解消されるので、テレビジョン受像機等の電気・電子機器の端子板の嵌合構造として有用である。
【図面の簡単な説明】
【００５５】
【図１】本発明の実施の形態１における端子板の三面図
【図２】本発明の実施の形態１における基板側コネクタの正面図及び断面図
【図３】本発明の実施の形態１における基板側コネクタの接続板押さえバネの動作図
【図４】本発明の実施の形態２における端子板の三面図及び側面断面図
【図５】本発明の実施の形態２における基板側コネクタの正面図及び断面図
【図６】本発明の実施の形態２における基板側コネクタの動作図
【図７】本発明の実施の形態２における他の方法での端子板側コネクタの動作図
【図８】本発明の実施の形態３における端子板の正面図及び断面図
【図９】本発明の実施の形態３における基板側コネクタの正面図、側面図及び断面図
【図１０】本発明の実施の形態３における基板側コネクタの動作図
【図１１】本発明の実施の形態４における端子板側コネクタの三面図
【図１２】本発明の実施の形態４における把手と端子板の動作図
【図１３】従来の形態によるプラグコネクタの複数のプラグ端子を接続可能な複数のジャック端子を示す図
【符号の説明】
【００５６】
１０１    端子板
１０２〜１０５    ジャック端子
１０６〜１０９    接続ケーブル
１１０    端子板側コネクタ
１１１〜１１３    接続板
２０１    基板側コネクタ
２０２    基板
２０３〜２０５    接続板押さえバネ
３０１〜３０３    接触点
４０１    端子板
４０２〜４０５    ジャック端子
４０６〜４０９    接続ケーブル
４１０    端子板側コネクタ
４１１    板バネ
４１２・４１３    第１の突起部
５０１    基板側コネクタ
５０２    基板
５０３・５０４    スリット
５０５・５０６    基板側コネクタの内壁
５０７    信号伝達面
５０８・５０９    凹部
７０１・７０２    バネ突起
６０１    接触点
８０１    端子板
８０２〜８０５    ジャック端子
８０６〜８０９    接続ケーブル
８１０    端子板側コネクタ
８１１・８１２    第１の爪部
８１３・８１４    爪部の凹部
８１５    接続部
８１６    ピン
９０１    基板側コネクタ
９０２    基板
９０３・９０４    第２の爪部
９０５・９０６    爪部の凹部
９０７    接続部
９０８    ピン挿入穴
１００１    接触点
１１０１    第２の突起部
１２０１    筐体
１２０２    把手
１２０３    押し出し用リブ
１２０４    切り欠き
１０    従来の形態によるプラグコネクタ
１９    従来の形態によるプラグコネクタ用固定部材
１１〜１３    従来の形態による複数のプラグ端子
３０    従来の形態による解除補助機構
【図１】
2007042306.tif 000003
【図２】
2007042306.tif 000004
【図３】
2007042306.tif 000005
【図４】
2007042306.tif 000006
【図５】
2007042306.tif 000007
【図６】
2007042306.tif 000008
【図７】
2007042306.tif 000009
【図８】
2007042306.tif 000010
【図９】
2007042306.tif 000011
【図１０】
2007042306.tif 000012
【図１１】
2007042306.tif 000013
【図１２】
2007042306.tif 000014
【図１３】
2007042306.tif 000015